(57)【要約】【課題】  着信に応答して、発信者に応じた動画像を表示する。【解決手段】  携帯電話１００のＣＰＵ２１０が実行する処理は、着信を検知するステップ（Ｓ５０２）と、発信者を特定するステップ（Ｓ５０４）と、電話帳から発信者の情報を検索するステップ（Ｓ５０６）と、発信者の情報が電話帳に登録済みであり（Ｓ５０８にてＹＥＳ）、発信者に関連付けられた動画データがある場合には（Ｓ５１０にてＹＥＳ）、動画データを読み出すステップ（Ｓ５１２）と、動画データを出力するステップ（Ｓ５１４）と、呼出音を出力するステップ（Ｓ５１６）とを含む。【選択図】        図５
2005142631.tif 000002
【特許請求の範囲】
【請求項１】
他の通信端末から通信情報を受信するための受信手段と、
画像を表示するための表示手段と、
前記通信情報に動画データが添付されているか否かを判断するための判断手段と、
前記動画データが添付されている場合には、前記通信情報から前記動画データを取得するための取得手段と、
前記動画データを前記他の通信端末の利用者の情報に関連付けて記憶するための動画データ記憶手段と、
前記他の通信端末からの着信に応答して、前記他の通信端末の利用者の情報に関連付けて記憶された動画データに基づいて、動画を前記表示手段に表示させるための表示制御手段とを含む、通信端末。
【請求項２】
前記表示制御手段は、前記着信を受けた通信情報から前記他の通信端末の利用者の情報を取得し、前記動画データ記憶手段から前記他の通信端末の利用者の情報に関連付けて記憶されている動画データを読み出し、さらに、読み出した前記動画データに応じた前記動画を前記表示手段に表示させる、請求項１に記載の通信端末。
【請求項３】
前記通信端末はさらに、前記表示手段の表示領域の大きさに基づいて、前記動画データのデータ量を調整するための調整手段を含む、請求項１に記載の通信端末。
【請求項４】
前記調整手段は前記動画データを圧縮する、請求項３に記載の通信端末。
【請求項５】
前記調整手段は、前記動画データを記憶するときに、前記表示手段の表示領域の大きさに基づいて、前記動画データのデータ量を調整する、請求項３に記載の通信端末。
【請求項６】
前記調整手段は、前記表示制御手段が前記動画を前記表示手段に表示させるときに、前記表示手段の表示領域の大きさに基づいて、前記動画データのデータ量を調整する、請求項３に記載の通信端末。
【請求項７】
前記表示手段は、第１の表示手段と第２の表示手段とを含み、
前記調整手段は、前記第１の表示手段の表示領域および前記第２の表示手段の表示領域のいずれかの大きさに基づいて、前記動画データのデータ量を調整する、請求項３に記載の通信端末。
【請求項８】
前記通信端末はさらに、第１の筐体と、前記第１の筐体と折り畳み可能に構成される第２の筐体とを含み、
前記表示手段は、第１の表示手段と第２の表示手段とを含み、
前記第１の表示手段は、前記通信端末が閉じられた状態で内側に位置する、前記第１の筐体の表面に配置され、
前記第２の表示手段は、前記通信端末が閉じられた状態で外側に位置する、前記第１の筐体の表面に配置され、
前記通信端末はさらに、前記通信端末の開閉状態に基づいて、前記第１の表示手段と前記第２の表示手段とのいずれの表示手段に前記画像を表示するかを決定するための決定手段を含み、
前記調整手段は、前記画像の表示が決定された表示手段の表示領域に対応するように、前記動画データのデータ量を調整するためのデータ量調整手段を含み、
前記表示制御手段は、前記画像の表示が決定された表示手段に、前記動画を表示させる、請求項３に記載の通信端末。
【請求項９】
前記決定手段は、前記通信端末の開閉状態を検出し、前記通信端末が閉じられていることが検出された場合には前記第２の表示手段を前記画像の表示先と決定し、さらに、前記通信端末が開かれていることが検出された場合には、前記第１の表示手段を前記画像の表示先と決定する、請求項８に記載の通信端末。
【請求項１０】
前記通信端末はさらに、
音声を出力するための音声出力手段と、
前記通信情報に音声データが添付されているか否かを判断するための手段と、
前記音声データが添付されている場合には、前記通信情報から前記音声データを取得するための音声データ取得手段と、
前記音声データを前記他の通信端末の利用者の情報に関連付けて記憶するための音声データ記憶手段と、
前記通信情報の受信に応答して、前記他の通信端末の利用者に関連付けて記憶されている音声データに基づいて、音声を前記音声出力手段に出力させるための出力制御手段とを含む、請求項１〜９のいずれかに記載の通信端末。
【請求項１１】
前記出力制御手段は、受信した前記通信情報から前記他の通信端末の利用者の情報を取得し、前記音声データ記憶手段から前記他の通信端末の利用者の情報に関連付けて記憶されている音声データを読み出し、さらに、読み出した前記音声データに応じた音声を前記音声出力手段に出力させる、請求項１０に記載の通信端末。
【請求項１２】
前記通信端末はさらに、
前記音声出力手段による音声の出力レベルを記憶するための出力レベル記憶手段と、
前記音声データ取得手段により取得された前記音声データに基づいて、音声の出力レベルを検出するための出力レベル検出手段と、
検出された前記音声の出力レベルと、前記音声出力手段による音声の出力レベルとに基づいて、取得された前記音声データに対応する前記音声の出力レベルを調整するための調整手段とを含む、請求項１〜１０のいずれかに記載の通信端末。
【請求項１３】
前記調整手段は、前記音声データが記憶される前に、前記音声の出力レベルを調整する、請求項１２に記載の通信端末。
【請求項１４】
前記調整手段は、前記音声データが読み出された後に、前記音声の出力レベルを調整する、請求項１２に記載の通信端末。
【請求項１５】
コンピュータ機能を有する通信端末に、通信方法を実現させるためのプログラムであって、前記プログラムは前記通信端末に、
他の通信端末から通信情報を受信する受信ステップと、
前記通信情報に動画データが添付されているか否かを判断する判断ステップと、
前記動画データが添付されている場合には、前記通信情報から前記動画データを取得する取得ステップと、
前記動画データを、前記他の通信端末の利用者の情報に関連付けて記憶する記憶ステップと、
前記他の通信端末からの通信情報の着信に応答して、前記他の通信端末の利用者の情報に基づいて、記憶装置から、前記利用者の情報に関連付けて記憶されている動画データを読み出す準備ステップと、
読み出した前記動画データに基づいて、動画を表示装置に表示させる表示制御ステップとを実行させる、プログラム。
【発明の詳細な説明】
【技術分野】
【０００１】
この発明は、着信に応答して表示される動画の制御に関し、特に、着信に応答して動画を表示することができる通信端末、および通信方法を実現するためのプログラムに関する。
【背景技術】
【０００２】
従来、携帯電話その他の通信端末において着信があった場合には、音声、本体の振動その他の出力によって、その着信が通知される。しかし、周囲への配慮等から、通信端末は、音声を出力しないように設定される場合もある。そのため、着信があった場合でも、その端末の利用者は、着信に気づきにくいという問題があった。
【０００３】
そこで、上記の問題を解決するために、たとえば特開２００３−２３６６９号公報（特許文献１）は、着信音声の出力に代えて、あるいは音声の出力に加えて多様な着信制御を行なうことができる携帯電話装置を開示する。この携帯電話装置は、着信を判定する判定部と、着信時にその着信を知らせるための着信メロディを再生する再生部と、着信時に表示装置上に表示させるキャラクタ画像のデータを格納する第１の記憶部と、上記キャラクタ画像に所定の動作をさせる動作プログラムを格納した第２の記憶部と、着信時、再生部に上記着信メロディを再生させつつ、第１の記憶部および第２の記憶部から読み出したデータに基づいて、キャラクタ画像が所定の動作を行なう動画像を上記表示装置に表示させる制御部とを含む。
【０００４】
特許文献１に開示された携帯電話装置によると、着信があった場合には、着信メロディが出力されるとともに、キャラクタ画像が所定の動作を行なう動画像が、表示装置に表示される。
【特許文献１】特開２００３−２３６６９号公報
【発明の開示】
【発明が解決しようとする課題】
【０００５】
しかしながら、特許文献１に開示された携帯電話装置によると、このようなメロディ、あるいは動画像が、着信時に出力されても、その発信者を特定することは容易ではなかった。
【０００６】
本発明は、上述の問題点を解決するためになされたものであって、その目的は、着信に応答して、発信者を容易に認識することができる通信端末を提供することである。
【０００７】
本発明の他の目的は、着信に応答して、利用者に発信者を容易に認識させることができる通信方法を実現するためのプログラムを提供することである。
【課題を解決するための手段】
【０００８】
上記の課題を解決するために、この発明のある局面に従うと、通信端末は、他の通信端末から通信情報を受信するための受信手段と、画像を表示するための表示手段と、通信情報に動画データが添付されているか否かを判断するための判断手段と、動画データが添付されている場合には、通信情報から動画データを取得するための取得手段と、動画データを他の通信端末の利用者の情報に関連付けて記憶するための動画データ記憶手段と、他の通信端末からの通信情報の着信に応答して、他の通信端末の利用者の情報に関連付けて記憶された動画データに基づいて、動画を表示手段に表示させるための表示制御手段とを含む。
【０００９】
上記の通信端末によると、受信手段が他の通信端末から通信情報を受信すると、判断手段は、その通信情報に動画データが添付されているか否かを判断する。動画データが添付されている場合には、取得手段は、通信情報から動画データを取得する。動画データ記憶手段は、動画データをその通信端末の利用者の情報に関連付けて記憶する。その動画データが記憶済みの通信端末からの着信があったとき、表示手段は、その通信端末の利用者の情報に関連付けて記憶された動画データに基づいて動画を表示する。このようにすると、他の通信端末から着信があったとき、発信者に関連のある動画が表示されるため、通信端末の利用者は、発信者を容易に認識することができる。また、予め記憶される動画の内容に応じて、エンターテイメント性を向上させることができる。
【００１０】
好ましくは、表示制御手段は、着信を受けた通信情報から他の通信端末の利用者の情報を取得し、動画データ記憶手段から他の通信端末の利用者の情報に関連付けて記憶されている動画データを読み出し、さらに、読み出した動画データに応じた動画を表示手段に表示させる。
【００１１】
上記の通信端末によると、他の通信端末から通信情報の着信を受けたとき、発信者の情報は、その通信情報から取得される。発信者の情報に関連付けて記憶されている動画データが読み出される。表示手段は、その動画データを表示する。したがって、通信端末は、着信に応答して、発信者に固有な情報を表示することができるため、利用者による視認性を向上させることができる。
【００１２】
好ましくは、通信端末はさらに、表示手段の表示領域の大きさに基づいて、動画データのデータ量を調整するための調整手段を含む。
【００１３】
上記の通信端末によると、表示手段は、その表示領域の大きさに応じた動画を表示することができるため、利用者に見易い動画を表示することができる。
【００１４】
好ましくは、調整手段は動画データを圧縮する。
【００１５】
上記の通信端末によると、動画データ記憶手段に記憶されている動画データのデータ量が多い場合であっても、動画データはその表示領域の大きさに応じて調整される。したがって、表示手段は、利用者に見易い動画を表示することができる。
【００１６】
好ましくは、調整手段は、動画データを記憶するときに、表示手段の表示領域の大きさに基づいて、動画データのデータ量を調整する。
【００１７】
上記の通信端末によると、動画データ記憶手段は、データ量が調整された後の動画データを予め記憶するため、表示手段は、発信者に応じた動画を速やかに表示することができる。したがって、着信の通知時における動画の表示の遅延を防止することができる。
【００１８】
好ましくは、調整手段は、表示制御手段が動画を表示手段に表示させるときに、表示手段の表示領域の大きさに基づいて、動画データのデータ量を調整する。
【００１９】
上記の通信端末によると、動画データのデータ量の調整は、動画の表示時に調整されるため、動画データ記憶手段は、同一の画像の表示に対して、複数のデータ量を有する動画データを記憶する必要がない。したがって、動画データ記憶手段におけるメモリ領域の消費を抑制することができる。
【００２０】
好ましくは、表示手段は、第１の表示手段と第２の表示手段とを含む。調整手段は、第１の表示手段の表示領域および第２の表示手段の表示領域のいずれかの大きさに基づいて、動画データのデータ量を調整する。
【００２１】
上記の通信端末によると、第１の表示手段あるいは第２の表示手段は、各々の表示領域の大きさに応じた画像を表示することができるため、利用者による視認性を向上させることができる。
【００２２】
好ましくは、通信端末はさらに、第１の筐体と、第１の筐体と折り畳み可能に構成される第２の筐体とを含む。表示手段は、第１の表示手段と第２の表示手段とを含む。第１の表示手段は、通信端末が閉じられた状態で内側に位置する、第１の筐体の表面に配置される。第２の表示手段は、通信端末が閉じられた状態で外側に位置する、第１の筐体の表面に配置される。通信端末はさらに、通信端末の開閉状態に基づいて、第１の表示手段と第２の表示手段とのいずれの表示手段に画像を表示するかを決定するための決定手段を含む。調整手段は、画像の表示が決定された表示手段の表示領域に対応するように、動画データのデータ量を調整するためのデータ量調整手段を含む。表示制御手段は、画像の表示が決定された表示手段に、動画を表示させる。
【００２３】
上記の通信端末によると、動画データのデータ量は、動画を表示するいずれかの表示手段の表示領域の大きさに応じて調整される。したがって、通信端末が閉じられている場合でも、開かれている場合であっても、各々の表示領域の大きさに応じた動画を表示することができるため、着信の通知における視認性を向上させることができる。
【００２４】
好ましくは、決定手段は、通信端末の開閉状態を検出し、通信端末が閉じられていることが検出された場合には第２の表示手段を画像の表示先と決定し、さらに、通信端末が開かれていることが検出された場合には、第１の表示手段を画像の表示先と決定する。
【００２５】
上記の通信端末によると、第１の筐体と第２の筐体とによって、その通信端末が閉じられている場合には、第２の表示手段が動画を表示する。その通信端末が開かれている場合には、第１の表示手段が動画を表示する。このときの動画は、表示先に応じてデータ量が調整された動画データに基づいて表示されるため、着信時における視認性を向上させることができる。
【００２６】
好ましくは、通信端末はさらに、音声を出力するための音声出力手段と、通信情報に音声データが添付されているか否かを判断するための手段と、音声データが添付されている場合には、通信情報から音声データを取得するための音声データ取得手段と、音声データを他の通信端末の利用者の情報に関連付けて記憶するための音声データ記憶手段と、通信情報の受信に応答して、他の通信端末の利用者に関連付けて記憶されている音声データに基づいて、音声を音声出力手段に出力させるための出力制御手段とを含む。
【００２７】
上記の通信端末によると、他の通信端末から受信した通信情報に音声データが添付されている場合には、音声データ取得手段は、通信情報から音声データを取得する。音声データ記憶手段は、その音声データを通信情報の発信者の情報に関連付けて記憶する。このようにすると、通信端末は、その音声データが記憶済みの通信端末から着信を検知した場合には、音声出力手段は、その音声データに応じた音声を出力することができる。したがって、通信端末は、着信の通知時において、動画の表示に加えて、発信者に固有な音声を出力することができるため、利用者は、発信者を容易に認識することができる。
【００２８】
好ましくは、出力制御手段は、受信した通信情報から他の通信端末の利用者の情報を取得し、音声データ記憶手段から他の通信端末の利用者の情報に関連付けて記憶されている音声データを読み出し、さらに、読み出した音声データに応じた音声を音声出力手段に出力させる。
【００２９】
上記の通信端末によると、他の通信端末から通信情報の着信があったとき、発信者の情報がその通信情報から取得される。発信者の情報に関連付けて記憶されている音声データが読み出される。音声出力手段は、その音声データに応じた音声を表示する。このようにすると、通信端末は、着信に応答して、発信者に固有な音声を出力することができるため、利用者は、発信者を容易に確認することができる。
【００３０】
好ましくは、通信端末はさらに、音声出力手段による音声の出力レベルを記憶するための出力レベル記憶手段と、音声データ取得手段により取得された音声データに基づいて、音声の出力レベルを検出するための出力レベル検出手段と、検出された音声の出力レベルと、音声出力手段による音声の出力レベルとに基づいて、取得された音声データに対応する音声の出力レベルを調整するための調整手段とを含む。
【００３１】
上記の通信端末によると、取得された音声データの出力レベルが、音声出力手段に適切でない場合であっても、その出力レベルは、調整手段により調整される。この調整は、たとえば、出力レベルの増幅、あるいは、低下を含む。このようにすると、音声出力手段は、調整後の音声データに応じた音声を出力することができるため、利用者は、その音声を聞き取り易くなる。したがって、通信情報の発信者を容易に認識することができる。
【００３２】
好ましくは、調整手段は、音声データが記憶される前に、音声の出力レベルを調整する。
【００３３】
上記の通信端末によると、音声の出力レベルが調整された音声データが予め記憶されるため、着信時には、音声データの調整が不要になる。したがって、音声出力手段は、着信に応答して、適切な音量の音声を速やかに出力することができる。その結果、利用者は、その音声に基づいて発信者を容易に認識することができる。
【００３４】
好ましくは、調整手段は、音声データが読み出された後に、音声の出力レベルを調整する。
【００３５】
上記の通信端末によると、当初取得された音声データを記憶しておくことにより、適宜音声データの出力レベルが調整される。このようにすると、音声データ記憶手段のメモリ領域の消費量を抑制することができる。また、特定の通信相手に対して、複数の音声データを格納する必要がなくなるため、データの管理が複雑になることを防止することができる。
【００３６】
この発明の他の局面に従うと、プログラムは、コンピュータ機能を有する通信端末に、通信方法を実現させる。この通信方法は、他の通信端末から通信情報を受信する受信ステップと、通信情報に動画データが添付されているか否かを判断する判断ステップと、動画データが添付されている場合には、通信情報から動画データを取得する取得ステップと、動画データを、他の通信端末の利用者の情報に関連付けて記憶する記憶ステップと、他の通信端末からの通信情報の着信に応答して、他の通信端末の利用者の情報に基づいて、記憶装置から、利用者の情報に関連付けて記憶されている動画データを読み出す準備ステップと、読み出した動画データに基づいて、動画を表示装置に表示させる表示制御ステップとを含む。
【００３７】
上記のプログラムがコンピュータ機能を有する通信端末によって実行されると、通信端末が通信情報を受信したとき、その通信情報に動画データが添付されているか否かが判断される。動画データが添付されている場合には、取得ステップにて、その通信情報から動画データが取得される。記憶ステップにて、その動画データは、その通信端末の利用者の情報に関連付けて、記憶装置（たとえば、フラッシュメモリ、ハードディスク装置等）に記憶される。その動画データが記憶済みの通信端末からの着信があった場合には、準備ステップにて、記憶装置から、利用者の情報に関連付けて記憶されている動画データが読み出される。表示制御ステップにて、その通信端末の利用者の情報に関連付けて記憶された動画データに基づいて動画を表示装置（たとえば、液晶モニタ等）に表示させる。このようにすると、他の通信端末から着信があったとき、発信者に関連のある動画が表示装置に表示されるため、通信端末の利用者は、発信者を容易に認識することができる。また、予め記憶される動画の内容に応じて、エンターテイメント性を向上させることができる。これにより、発信者の視認性を向上させ、エンターテイメント性が向上する通信方法を通信端末に実現させることができるプログラムを提供することができる。
【発明の効果】
【００３８】
本発明に係る通信端末によると、他の通信端末から通信情報を受信したときに、その通信情報の発信者に応じた動画を表示したり、音声を出力するため、発信者を容易に認識することができる。また、通信端末の利用者に対するエンターテイメント性を向上させることができる。
【００３９】
本発明に係るプログラムによると、他の通信端末から通信情報を受信したときに、その通信情報の発信者に応じた動画を表示したり、音声を出力する機能を、コンピュータ機能を有する通信端末に実現させることができる。したがって、このような機能を有する通信端末の利用者は、通信情報の発信者を容易に認識することができる。
【発明を実施するための最良の形態】
【００４０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００４１】
＜第１の実施の形態＞
図１〜図５を参照して、本発明の第１の実施の形態に係る携帯電話１００について説明する。図１は、本実施の形態に係る携帯電話１００の機能的な構成を表わす機能ブロック図である。
【００４２】
図１に示すように、この携帯電話１００は、着信検知部１１２と、動画データ検出部１１４と、登録判断部１１６と、動画データ登録部１１８と、発信者情報取得部１２０と、動画データ検索部１２４と、データ読出部１２６と、動画データ再生部１２８と、音声データ再生部１３０と、データ通信部１４０と、入力部１５０と、画像表示部１７０と、音声出力部１８０と、データ記憶部１６０とを含む。
【００４３】
データ通信部１４０は、通信回線（図示しない）に接続される他の通信端末と通信する。データ通信部１４０から出力される信号は、着信検知部１１２に入力される。着信検知部１１２は、入力信号に基づいて所定のユーザから着信があったか否かを検知する。
【００４４】
着信検知部１１２から出力される信号は、動画データ検出部１１４に入力される。動画データ検出部１１４は、入力信号から動画データを有するファイルを検出する。
【００４５】
動画データ検出部１１４から出力される信号は、登録判断部１１６に入力される。また、入力部１５０から出力される信号は、同様に登録判断部１１６に入力される。登録判断部１１６は、各入力信号に基づいて、受信信号から検出された動画データを登録するか否かを判断する。
【００４６】
登録判断部１１６から出力される信号は、動画データ登録部１１８に入力される。動画データ登録部１１８は、入力信号に基づいて受信信号に添付されている動画データをデータ記憶部１６０に書き込む。
【００４７】
また、着信検知部１１２から出力される信号は、発信者情報取得部１２０に入力される。発信者情報取得部１２０は、入力信号に基づいて電話あるいは電子メールの発信者を特定する。
【００４８】
発信者情報取得部１２０から出力される信号は、動画データ検索部１２４に入力される。動画データ検索部１２４は、入力信号に基づいてデータ記憶部１６０に取得された発信者に対応する動画データが存在するか否かを判断する。
【００４９】
データ読出部１２６は、データ記憶部１６０から動画データあるいは音声データを読み出す。
【００５０】
読み出された動画データは、動画データ再生部１２８に入力される。動画データ再生部１２８は、そのデータを表示可能な形式に変換して、画像表示部１７０に出力する。その結果、画像表示部１７０は、記憶されているデータに基づいて動画を再生する。
【００５１】
また、データ読出部１２６に読み出された音声データは、音声データ再生部１３０に入力される。音声データ再生部１３０は、予め定められた再生処理の方法に基づいてそのデータを再生する。
【００５２】
音声データ再生部１３０から出力されるデータは、音声出力部１８０に入力される。その結果、音声出力部１８０は所定の音声を出力することができる。
【００５３】
図２を参照して、本実施の形態に係る携帯電話１００の構成についてさらに説明する。図２は、携帯電話１００の具体的な構成の一態様を表わすブロック図である。
【００５４】
この携帯電話１００は、相互に接続された、ＣＰＵ（Central Processing Unit）２１０と、メインモニタ２２０と、サブモニタ２３０と、複数の操作キー２４０と、数字ボタン２５０と、フラッシュメモリ２６０と、メモリカードドライブ２７０と、バッテリ２８０と、クロック２８２と、通信ＩＦ（Interface）２８４と、アンテナ２８６と、スピーカ２８８とを含む。メモリカードドライブ２７０には、メモリカード２７２が装着される。なお、携帯電話１００の具体的な構成は、図２に示した態様に限られない。たとえば、モニタが２つ含まれる構成に代えて、１つのモニタを含む構成であってもよい。
【００５５】
ＣＰＵ２１０は、図１の構成を有する携帯電話１００において、着信検知部１１２と、動画データ検出部１１４と、登録判断部１１６と、動画データ登録部１１８と、発信者情報取得部１２０と、動画データ検索部１２４と、データ読出部１２６と、動画データ再生部１２８と、音声データ再生部１３０として機能する。
【００５６】
ＣＰＵ２１０は、たとえば、フラッシュメモリ２６０に記憶されているデータを読み出して、液晶モニタ２２０に動画その他の画像を表示させたり、スピーカ２８８に音声を出力させたりする。
【００５７】
ＣＰＵ２１０は、フラッシュメモリ２６０に予め格納されているプログラムを実行して、所定の処理を行なう。この処理には、受信した電子メールに動画データあるいは音声データを含むファイルが添付されているか否かを判断する処理、添付ファイルを電子メールの送信者の情報に関連付けて記憶する処理等が含まれる。
【００５８】
このような処理を実行するプログラムは、予めフラッシュメモリ２６０その他の記憶装置に記憶されている場合もあれば、メモリカード２７２その他の記録媒体に格納されて流通し、カード駆動装置（図示しない）によりその記録媒体から読み取られて、プログラムを格納するフラッシュメモリ２６０その他の記憶装置に一旦格納される場合もある。あるいは、そのプログラムは、通信ＩＦ２８４を介して受信されるデータから取得され、記憶装置に格納される場合もある。そのプログラムは、その記憶装置からＲＡＭ（Random Access Memory）その他の主記憶部に読み出されて、ＣＰＵ２１０により実行される。このような構成を有する通信端末の構成は、コンピュータの構成として一般的なものである。したがって、本発明の最も本質的な部分は、フラッシュメモリ２６０その他の記憶装置、あるいはメモリカード２７２その他の記録媒体に記録されたプログラムであるともいえる。
【００５９】
なお、このような構成を有するコンピュータの動作自体は周知である。したがって、ここでは、その動作についての詳細な説明は繰り返さない。
【００６０】
図３を参照して、本実施の形態に係る携帯電話１００のデータ記憶部１６０に記憶されるデータについて説明する。図３は、データ記憶部１６０におけるデータの格納構造を説明するための図である。
【００６１】
図３に示すように、登録された通信相手のデータは、たとえば、各通信相手を識別するメモリ番号に対応付けられて、データ領域Ｄ３１２，Ｄ３１４その他の領域に格納される。たとえば、利用者「ＡＡＡ」は、メモリ番号「００１」に対応付けられて、データ領域Ｄ３１２に格納される。
【００６２】
各通信相手の電話番号は、通信相手に対応付けられたメモリ番号に応じて、データ領域Ｄ３２２，Ｄ３２４等の領域に格納される。たとえば、メモリ番号「００１」の通信相手（すなわち、利用者「ＡＡＡ」）の電話番号「０９０１２３４ＸＸＸＸ」は、データ領域Ｄ３２２に格納される。
【００６３】
各通信相手に関連付けて記憶される動画データは、通信相手に対応付けられたメモリ番号に応じて、データ領域Ｄ３３２，Ｄ３３４等の領域に格納される。たとえば、メモリ番号「００１」の通信相手（すなわち、利用者「ＡＡＡ」）に関連する動画データは、データ領域Ｄ３３２に格納される。
【００６４】
なお、データ記憶部１６０においてデータが格納される態様は、図３に示したものに限られず、各通信相手に対して、電話番号、動画データその他の固有なデータが関連付けられて格納される態様であればよい。
【００６５】
図４を参照して、本実施の形態に係る携帯電話１００の制御構造について説明する。図４は、携帯電話１００のＣＰＵ２１０が実行する動画データの登録処理の手順を表わすフローチャートである。この処理は、たとえば、特定のユーザのデータが携帯電話１００に登録されていない場合に実行される。
【００６６】
ステップＳ４０２にて、ＣＰＵ２１０の着信検知部１１２は、メールの着信を検知する。
【００６７】
ステップＳ４０４にて、ＣＰＵ２１０は、ファイルがメールに添付されているか否かを判断する。ファイルがメールに添付されている場合には（ステップＳ４０４にてＹＥＳ）、処理はステップＳ４０６に移される。そうでない場合には（ステップＳ４０４にてＮＯ）、処理は終了する。
【００６８】
ステップＳ４０６にて、ＣＰＵ２１０は、添付されているファイルの形式を取得する。この形式は、たとえばＭＰＥＧ（Moving Picture Experts Group）形式であるがこれに限られない。
【００６９】
ステップＳ４０８にて、ＣＰＵ２１０の動画データ検出部１１４は、添付ファイルが動画データのファイルであるか否かを確認する。この確認は、たとえば添付ファイルの形式が予め設定されている動画データの形式に含まれるか否かに基づいて行なわれる。添付ファイルが動画データのファイルである場合には（ステップＳ４０８にてＹＥＳ）、処理はステップＳ４１０に移される。そうでない場合には（ステップＳ４０８にてＮＯ）、処理は終了する。
【００７０】
ステップＳ４１０にて、ＣＰＵ２１０の登録判断部１１６は、動画データを送信者の情報に関連付けて保存するか否かを判断する。この判断は、たとえば携帯電話１００のメインモニタ２２０（図２）にその保存を促すメッセージが表示されたときに、そのメッセージに応答して所定の指示が入力（たとえば、特定操作キー２４０の押下）されているか否かを判断することにより行なわれる。動画データを送信者の情報に関連付けて保存する場合には（ステップＳ４１０にてＹＥＳ）、処理はステップＳ４１２に移される。そうでない場合には（ステップＳ４１０にてＮＯ）、処理は終了する。
【００７１】
ステップＳ４１２にて、ＣＰＵ２１０は、データ記憶部１６０に格納されているデータから、送信者のデータを検索する。
【００７２】
ステップＳ４１４にて、ＣＰＵ２１０は、送信者の情報が電話帳に登録済みであるか否かを判断する。送信者の情報が電話帳に登録済みである場合には（ステップＳ４１４にてＹＥＳ）、処理はステップＳ４２０に移される。そうでない場合には（ステップＳ４１４にてＮＯ）、処理はステップＳ４１６に移される。
【００７３】
ステップＳ４１６にて、ＣＰＵ２１０は、送信者の登録情報を取得する。この登録情報は、たとえば送信者の名称、送信者の電話番号、送信者のメールアドレス等を含む。この取得は、利用者が所定のボタンを押下して、携帯電話１００を操作することにより行なわれる。
【００７４】
ステップＳ４１８にて、ＣＰＵ２１０は、取得した送信者の情報を、データ記憶部１６０の電話帳に保存する。
【００７５】
ステップＳ４２０にて、ＣＰＵ２１０の動画データ登録部１１８は、送信者の情報に関連付けて動画データを保存する。
【００７６】
図５を参照して、本実施の形態に係る携帯電話１００の制御構造について、さらに説明する。図５は、他の携帯電話等からの着信時に、携帯電話１００のＣＰＵ２１０が実行する動画表示処理の手順を表わすフローチャートである。
【００７７】
ステップＳ５０２にて、ＣＰＵ２１０の着信検知部１１２は、電話の着信を検知する。
【００７８】
ステップＳ５０４にて、ＣＰＵ２１０の発信者情報取得部１２０は、受信した情報に基づいて発信者を特定する。
【００７９】
ステップＳ５０６にて、ＣＰＵ２１０は、データ記憶部１６０の電話帳データから発信者のデータを検索する。
【００８０】
ステップＳ５０８にて、ＣＰＵ２１０は、発信者の情報が電話帳データに登録されているか否かを判断する。発信者の情報が電話帳データに登録されている場合には（ステップＳ５０８にてＹＥＳ）、処理はステップＳ５１０に移される。そうでない場合には（ステップＳ５０８にてＮＯ）、処理はステップＳ５１６に移される。
【００８１】
ステップＳ５１０にて、ＣＰＵ２１０の動画データ検索部１２４は、データ記憶部１６０に格納されているデータを検索して、発信者に関連付けられた動画データがあるか否かを判断する。この判断は、その発信者に関連付けられた、特定の動画データの形式を有するファイルが存在するか否かを確認することにより行なわれる。発信者に関連付けられた動画データがある場合には（ステップＳ５１０にてＹＥＳ）、処理はステップＳ５１２に移される。そうでない場合には（ステップＳ５１０にてＮＯ）、処理はステップＳ５１６に移される。
【００８２】
ステップＳ５１２にて、ＣＰＵ２１０のデータ読出部１２６は、データ記憶部１６０から、発信者に関連付けられた動画データを読み出す。
【００８３】
ステップＳ５１４にて、ＣＰＵ２１０の動画データ再生部１２８は、読み出した動画データを所定の信号に変換して、画像表示部１７０に出力する。その結果、携帯電話１００の画像表示部１７０は、そのデータに応じた動画像を表示する。
【００８４】
ステップＳ５１６にて、ＣＰＵ２１０の音声データ再生部１３０は、データ記憶部１６０から読み出した音声データを所定の信号に変換して、音声出力部１８０に出力する。その結果、携帯電話１００の音声出力部１８０は、その音声データに応じた音声を、呼出音として出力する。
【００８５】
以上のような構造およびフローチャートに基づく、本実施の形態に係る携帯電話１００の動作を説明する。この動作は、動画データを登録する場合の動作と動画データに基づいて動画を表示する場合の動作とを含む。
【００８６】
［動画データを登録する場合の動作］
携帯電話１００が受信したメールにファイルが添付されているとき（ステップＳ４０４にてＹＥＳ）、そのファイルが動画データのファイルである場合には（ステップＳ４０８にてＹＥＳ）、動画データを保存するか否かのメッセージが画像表示部１７０に表示される。
【００８７】
携帯電話１００の利用者が、入力部１５０の特定のボタンを押下して、動画データのファイルを保存する指示を入力すると、携帯電話１００は、動画データを送信者の情報に関連付けて保存すると判断し（ステップＳ４１０にてＹＥＳ）、送信者のデータを検索する（ステップＳ４１２）。
【００８８】
メールの送信者が既に登録済みである場合には（ステップＳ４１４にてＹＥＳ）、そのメールに添付されている動画データは、その送信者の情報に関連付けられて、データ記憶部１６０に記憶される（ステップＳ４２０）。
【００８９】
［動画を表示する場合の動作］
携帯電話１００が電話の着信を検知すると（ステップＳ５０２）、電話の発信者が電話帳に登録されているか否かが確認される（ステップＳ５０８）。
【００９０】
その発信者が電話帳に登録済みであって（ステップＳ５０８にてＹＥＳ）、さらに、その発信者に関連付けて記憶された動画データがある場合には（ステップＳ５１０にてＹＥＳ）、その動画データは、データ記憶部１６０から読み出される（ステップＳ５１２）。
【００９１】
その結果、携帯電話１００は、電話の着信に応答して動画データを表示するとともに（ステップＳ５１４）、所定の呼出音を出力する（ステップＳ５１６）。
【００９２】
以上のようにして、本実施の形態に係る携帯電話１００は、特定の通信相手から受信してその通信相手に関連付けて動画データを記憶しておくことにより、その後、その通信相手から着信を受けた場合には、その動画データに基づいて動画像を表示することができる。このようにすると、着信時に、発信者の情報と、発信者に応じた動画像とがモニタに表示されるため、利用者による視認性を向上させることができるとともに、エンターテイメント性を向上させることができる。
【００９３】
＜第２の実施の形態＞
以下、図６〜図９を参照して、本発明の第２の実施の形態について説明する。
【００９４】
第２の実施の形態に係る携帯電話は、受信データに添付されている動画データをそのデータの送信者に対応付けて記憶することに加えて、音声データを関連付けて記憶する機能を有する点で、前述の第１の実施の形態と異なる。
【００９５】
図６を参照して、本実施の形態に係る携帯電話６００の構成について説明する。図６は、本実施の形態に係る携帯電話６００の機能的な構成を表わす機能ブロック図である。なお、前述の第１の実施の形態に係る携帯電話１００と同一の構成には同一の番号を付し、それらについての詳細な説明は、繰り返さない。
【００９６】
図６に示すように、携帯電話６００は、第１の実施の形態に係る携帯電話１００（図１）の構成に加えて、音声データ検出部６１０と、音声データ登録部６２０とを含む。
【００９７】
着信検知部１１２から出力される信号は、音声データ検出部６１０に入力される。音声データ検出部６１０は、入力信号に基づいて、音声データをそのデータの送信者に対応付けて登録するか否かを判断する。
【００９８】
登録判断部１１６から出力される信号は、音声データ登録部６２０に入力される。音声データ登録部６２０は、その入力信号に基づいて、その音声データを送信者に対応付けて記憶する。
【００９９】
なお、本実施の形態に係る携帯電話６００の具体的なハードウェア構成は、図２に示した構成と同じである。したがって、詳細な説明は繰り返さない。以下では、携帯電話１００が含む構成要素は、携帯電話６００にも含まれるものとして説明する。
【０１００】
図７を参照して、本実施の形態に係る携帯電話６００に格納されるデータについて説明する。図７は、携帯電話６００のデータ記憶部１６０に格納されるデータ構造を説明するための図である。なお、送信者と、送信者の電話番号と、送信者に対応付けて記憶される動画データとは、第１の実施の形態に係る携帯電話１００に格納されるデータと同じように記憶される。したがって、それらについての説明は、ここでは繰り返さない。
【０１０１】
図７に示すように、送信者に関連付けて記憶される音声データは、通信相手に対応付けられたメモリ番号に応じて、データ領域Ｄ３４２，Ｄ３４４等の領域に格納される。たとえば、メモリ番号「００３」を有する通信相手（すなわち、利用者「ＣＣＣ」）の音声データは、データ領域Ｄ３４４に格納される。
【０１０２】
なお、音声データが格納される態様は、図７に示したものに限られない。
【０１０３】
図８を参照して、本実施の形態に係る携帯電話６００の制御構造について説明する。図８は、携帯電話６００が実行する動画データおよび音声データの登録処理の手順を表わすフローチャートである。なお、前述の第１の実施の形態に係る処理と同一の処理には、同一のステップ番号を付し、それらについての説明は、ここでは繰り返さない。
【０１０４】
ステップＳ８３０にて、ＣＰＵ２１０の音声データ登録部６２０は、送信者の情報に関連付けて、音声データをデータ記憶部１６０に保存する。
【０１０５】
図９を参照して、本実施の形態に係る携帯電話６００の制御構造について、さらに説明する。図９は、携帯電話６００が実行する着信時の動画表示処理の手順を表わすフローチャートである。
【０１０６】
なお、前述の第１の実施の形態における処理（図５）と同一の処理には同一のステップ番号を付し、ここではそれらについての説明は繰り返さない。
【０１０７】
ステップＳ５０８にて、ＣＰＵ２１０は、発信者が電話帳データに登録されているか否かを判断する。発信者が電話帳データに登録されている場合には（ステップＳ５０８にてＹＥＳ）、処理はステップＳ９１０に移される。そうでない場合には（ステップＳ５０８にてＮＯ）、処理はステップＳ５１６に移される。
【０１０８】
ステップＳ９１０にて、ＣＰＵ２１０は、発信者に関連付けられた動画データと音声データとがあるか否かを判断する。動画データと音声データとが存在する場合には（ステップＳ９１０にてＹＥＳ）、処理は、ステップＳ５１２に移される。そうでない場合には（ステップＳ９１０にてＮＯ）、処理は、ステップＳ５１６に移される。
【０１０９】
ステップＳ９２０にて、ＣＰＵ２１０のデータ読出部１２６は、データ記憶部１６０からその発信者に関連付けられた音声データを読み出す。
【０１１０】
以上のような構造およびフローチャートに基づく、本実施の形態に係る携帯電話６００の動作について説明する。なお、前述の第１の実施の形態における動作と同じ動作の説明は、繰り返さない。
【０１１１】
［動画データおよび音声データの登録動作］
携帯電話６００がメールの着信を検知して（ステップＳ４０２）、そのメールの発信者が登録済みである場合には（ステップＳ４１４にてＹＥＳ）、メールに添付されている音声データは、送信者の情報に関連付けられて保存される（ステップＳ８３０）。
【０１１２】
［着信時の動作］
携帯電話６００が電話の着信を検知すると（ステップＳ５０２）、発信者が特定され（ステップＳ５０４）、データ記憶部１６０の電話帳データから、その発信者が検索される（ステップＳ５０６）。その発信者が電話帳に登録済みであって（ステップＳ５０８にてＹＥＳ）、発信者に関連付けられた動画データと音声データとが既に記憶されている場合には（ステップＳ９１０にてＹＥＳ）、動画データと音声データとが読み出される（ステップＳ５１２、ステップＳ９２０）。その結果、画像表示部１７０は、動画データに対応する動画像を表示し（ステップＳ５１４）、音声出力部１８０は、音声データに対応する音声を、呼出音として出力する（ステップＳ５１６）。
【０１１３】
以上のようにして、本実施の形態に係る携帯電話６００によると、通信相手ごとに固有な動画データと音声データとを、その通信相手の情報に対応付けて記憶する。その後、携帯電話６００が、そのようなデータを記憶している発信者からの着信を検知したとき、携帯電話６００は、発信者の情報の表示とともに、所定の動画像を表示し、音声を呼出音として出力する。このようにすると、携帯電話６００の利用者は、特定の発信者からの着信を容易に認識することができる。
【０１１４】
＜第３の実施の形態＞
以下、本発明の第３の実施の形態について説明する。図１０は、本実施の形態に係る携帯電話１０００の機能的な構成を表わす機能ブロック図である。本実施の形態に係る携帯電話１０００は、前述の第２の実施の形態に係る携帯電話６００（図６）の構成に加えて、音声データの登録時に音量を調整するための音量調整部１０１０をさらに含む。なお、前述の各実施の形態と同じ構成の説明は、ここでは繰り返さない。
【０１１５】
図１０に示すように、登録判断部１１６から出力される信号は、動画データ登録部１１８とともに、音量調整部１０１０に入力される。音量調整部１０１０は、予め定められた基準に基づいて、入力される音声信号を所定の音量レベルに調整する。
【０１１６】
音量調整部１０１０から出力される信号は、音声データ登録部６２０に入力される。音声データ登録部６２０は、音量レベルが調整された音声信号をデータ記憶部１６０に保存する。
【０１１７】
図１１を参照して、本実施の形態に係る携帯電話１０００の制御構造について説明する。図１１は、携帯電話１０００のＣＰＵ２１０が実行する動画データおよび音声データの登録処理の手順を表わすフローチャートである。なお、前述の第２の実施の形態における処理と同一の処理には同一のステップ番号を付し、それらについての説明は繰り返さない。
【０１１８】
ステップＳ１１２０にて、ＣＰＵ２１０は、取得した音声データのレベルを検出する。この検出の態様は、特に限られない。
【０１１９】
ステップＳ１１３０にて、ＣＰＵ２１０の音量調整部１０１０は、その音声データの音量レベルを調整する。この調整は、たとえば予め設定された標準レベルに出力信号を変更することにより行なわれる。この変更は、たとえば音量の増幅あるいは低減を含む。
【０１２０】
以上のような構造およびフローチャートに基づく、本実施の形態に係る携帯電話１０００の動作について説明する。なお、前述の各実施の形態における動作と同じ動作の説明は、ここでは繰り返さない。
【０１２１】
携帯電話１０００の利用者が、受信した情報に基づいて動画データの保存を指示すると（ステップＳ４１０）、受信メールに添付されていた音声データの出力レベルが検出される（ステップＳ１１２０）。その音声データの出力レベルは、予め定められた基準に調整される（ステップＳ１１３０）。たとえば、音声データの出力レベルが所定値よりも上回る場合には、その所定値になるようにその音声データの出力レベルは、低減される。出力レベルが調整されると、音声データは、送信者の情報に関連付けられて、データ記憶部１６０に保存される。
【０１２２】
以上のようにして、本実施の形態に係る携帯電話１０００は、メールの送信者の情報に関連付けて音声データを記憶する場合に、その音声データに対応する音声の出力レベルを調整し、調整後の音声データを記憶する。このようにすると、携帯電話１０００が、その音声データを出力する場合には、呼出音は、その携帯電話１０００の音声出力部１８０の出力特性に応じた音量レベルで出力される。このようにすると、利用者による発信者の認識を容易にしつつ、その利用者に不快感を与えることなく、エンターテイメント性を向上させることができる。
【０１２３】
＜第３の実施の形態  変形例＞
以下、本発明の第３の実施の形態の変形例について説明する。本変形例に係る携帯電話１２００は、音声データの再生時に音声レベルを調整する機能を有する点で、前述の第３の実施の形態に係る携帯電話１０００と異なる。
【０１２４】
図１２を参照して、本変形例に係る携帯電話１２００の構成について説明する。図１２は、携帯電話１２００の機能的な構成を表わす機能ブロック図である。
【０１２５】
この携帯電話１２００は、前述の第３の実施の形態に係る携帯電話１０００（図１０）の構成に加えて、音声レベル検出部１２１０と、音声レベル調整部１２２０とを含む。なお、その他の構成は、第３の実施の形態に係る携帯電話１０００の構成と同じであるので、ここでは、その説明は繰り返さない。
【０１２６】
データ読出部１２６から出力されるデータは、動画データ再生部１２８に入力されるとともに、音声レベル検出部１２１０に入力される。音声レベル検出部１２１０は、入力信号に基づいて、その音声データのレベルを検出する。
【０１２７】
音声レベル検出部１２１０から出力される信号は、音声レベル調整部１２２０に入力される。音声レベル調整部１２２０は、その入力信号と、データ記憶部１６０に予め記憶されている音声レベルの基準値とに基づいて、出力される音声データのレベルを調整する。
【０１２８】
図１３を参照して、本変形例に係る携帯電話１２００の制御構造について説明する。図１３は、携帯電話１２００が実行する着信時の動画表示処理の手順を表わすフローチャートである。なお、前述の第２の実施の形態における処理（図９）と同一の処理には同一のステップ番号を付し、それらについての説明はここでは繰り返さない。
【０１２９】
ステップＳ１３１０にて、ＣＰＵ２１０の音声レベル検出部１２１０は、データ記憶部１６０から読み出した音声データについて、その音声データに応じた音声の出力レベルを検出する。
【０１３０】
ステップＳ１３２０にて、ＣＰＵ２１０の音声レベル調整部１２２０は、データ記憶部１６０から読み出した、予め設定された基準値に基づいて、音声データの出力レベルを調整する。
【０１３１】
以上のような構造およびフローチャートに基づく、本変形例に係る携帯電話１２００の動作について説明する。なお、前述の各実施の形態における動作と同じ動作の説明は、ここでは繰り返さない。
【０１３２】
携帯電話１２００が他の携帯電話の着信を検知したとき（ステップＳ５０２）、発信者に関連付けられた動画データと音声データとが既に記憶されている場合には（ステップＳ９１０にてＹＥＳ）、動画データと音声データとがそれぞれ読み出される（ステップＳ５１２，Ｓ９１４）。
【０１３３】
音声データの出力レベルが検出され（ステップＳ１３１０）、そのレベルがたとえば予め定められた基準値よりも大きい場合には、音声データの出力は、その基準値になるように弱められる（ステップＳ１３２０）。これにより、携帯電話１２００の音声出力部１８０は、音割れを発生させることのない音量レベルで、音声を呼出音として出力する。
【０１３４】
以上のようにして、本変形例に係る携帯電話１２００は、他の通信端末からの着信を検知すると、その着信を通知する際に、音声レベルを調整して呼出音を発する。このようにすると、データ記憶部１６０に予め記憶すべき音声データのデータ量を少なくすることができる。したがって、データ記憶部１６０のメモリ領域を、他のデータあるいはプログラムの格納に使用することができるため、利用者の利便性を向上させることができる。
【０１３５】
＜第４の実施の形態＞
以下、図１４〜図１９を参照して、本発明の第４の実施の形態について説明する。本実施の形態に係る携帯電話１４００は、２つの表示部を有する点で、前述の各実施の形態に係る携帯電話と異なる。
【０１３６】
図１４を参照して、本実施の形態に係る携帯電話１４００の構成について説明する。図１４は、携帯電話１４００の機能的な構成を表わす機能ブロック図である。なお、前述の各実施の形態に係る携帯電話の構成と同じ構成には同一の番号を付し、それらについての説明は繰り返さない。
【０１３７】
図１４に示すように、携帯電話１４００は、第１の実施の形態の構成に加えて、筐体接続部１４１０と、表示先検出部１４２０と、出力先切換部１４３０と、動画データ生成部１４４０と、第１の画像表示部１７２と、第２の画像表示部１７４とを含む。
【０１３８】
第１の画像表示部１７２は、たとえばメインモニタである。第２の画像表示部１７４は、たとえば、そのメインモニタよりも小さなサイズを有するサブモニタである。第１の画像表示部１７２と、第２の画像表示部１７４とは、それぞれ異なった平面に配置される。
【０１３９】
たとえば、携帯電話１４００が第１の筐体と第２の筐体とを備え、各筐体が回転軸によって接続されている場合、すなわち、携帯電話１４００を開閉することができる場合には、いずれかの画像表示部は、携帯電話１４００が閉じられているときに、携帯電話１４００の外側に配置される。これにより、着信時には、携帯電話１４００の利用者は、折り畳まれている携帯電話１４００を開けることなく、着信の内容を確認することができる。
【０１４０】
登録判断部１１６から出力される信号は、動画データ生成部１４４０に入力される。動画データ生成部１４４０は、検出した動画データから、第１の画像表示部１７２あるいは第２の画像表示部１７４に表示させるための十分なサイズを有する動画データを生成する。
【０１４１】
動画データ生成部１４４０から出力される信号は、動画データ登録部１１８に入力される。動画データ登録部１１８は、生成された動画データを、そのデータに対応付けられる第１の画像表示部１７２あるいは第２の画像表示部１７４に関連付けて、データ記憶部１６０に書き込む。
【０１４２】
筐体接続部１４１０は、携帯電話１４００を構成する第１の筐体と第２の筐体とにより形成される状態を検出する。筐体接続部１４１０は、たとえば第１の筐体と第２の筐体とを回転可能に構成するヒンジ部を含む。
【０１４３】
筐体接続部１４１０が検出する状態には、たとえば、携帯電話１４００が閉じられている状態と開かれている状態とが含まれる。なお、ここで、閉じられている状態とは、第１の筐体と第２の筐体との間の角度が所定値を下回った状態をいい、第１の筐体と第２の筐体とが完全に閉じられている状態に限られない。たとえば、携帯電話１４００が折り畳まれたときに内部に位置する画像表示部における表示内容を十分に認識することができない程度の角度であればよい。
【０１４４】
筐体接続部１４１０から出力される信号は、表示先検出部１４２０と、データ読出部１２６とに入力される。表示先検出部１４２０は、入力信号に基づいて、第１の画像表示部１７２と第２の画像表示部１７４とのいずれの表示部に、動画データを出力するかを判断する。
【０１４５】
表示先検出部１４２０から出力される信号は、動画データ再生部１２８と出力先切換部１４３０とに入力される。出力先切換部１４３０は、その入力信号と動画データ再生部１２８から出力される信号とに基づいて、動画データの出力先を切り換える。これにより、動画像は、いずれかの画像表示部に選択的に表示される。
【０１４６】
図１５を参照して、本実施の形態に係る携帯電話１４００に記憶されるデータについて説明する。図１５は、データ記憶部１６０が記憶する動画データの一態様を説明するための図である。
【０１４７】
図１５に示すように、各通信相手に関連付けられる画像データは、第１の画像表示部１７２あるいは第２の画像表示部１７４の大きさに応じてそれぞれ生成され、所定のデータ領域に格納される。たとえば、通信相手「ＡＡＡ」の大きな画面に対応する画像データは、データ領域Ｄ３５２に格納される。同様にして、通信相手「ＢＢＢ」に対応する画像データは、データ領域Ｄ３５４に格納される。
【０１４８】
一方、それらの通信相手に対応する小さな画面に表示するための画像データは、それぞれデータ領域Ｄ３６２，Ｄ３６４に格納される。
【０１４９】
なお、画像データの格納の態様は、図１５に示したものに限られず、各通信相手ごとに、動画データが関連付けられて記憶される態様であればよい。
【０１５０】
図１６を参照して、本実施の形態に係る携帯電話１４００の制御構造について説明する。図１６は、携帯電話１４００のＣＰＵ２１０が実行する動画データの登録処理の手順を表わすフローチャートである。なお、前述の各実施の形態における処理と同一の処理には同一のステップ番号を付し、それらについての説明は繰り返さない。
【０１５１】
ステップＳ４１４にて、ＣＰＵ２１０は、送信者の情報が電話帳に登録済みであるか否かを判断する。送信者の情報が電話帳に登録済みである場合には（ステップＳ４１４にてＹＥＳ）、処理はステップＳ１６１０に移される。そうでない場合には（ステップＳ４１４にてＮＯ）、処理はステップＳ４１６に移される。
【０１５２】
ステップＳ１６１０にて、ＣＰＵ２１０の動画データ生成部１４４０は、第１の画像表示部１７２の表示領域のサイズに応じた第１の動画データを生成する。
【０１５３】
ステップＳ１６２０にて、ＣＰＵ２１０の動画データ生成部１４４０は、第２の画像表示部１７４の表示領域のサイズに応じた第２の動画データを生成する。
【０１５４】
ステップＳ１６３０にて、ＣＰＵ２１０の動画データ登録部１１８は、送信者の情報に関連付けて第１の動画データをデータ記憶部１６０に保存する。
【０１５５】
ステップＳ１６４０にて、ＣＰＵ２１０の動画データ登録部１１８は、送信者の情報に関連付けて第２の動画データをデータ記憶部１６０に保存する。
【０１５６】
図１７を参照して、本実施の形態に係る携帯電話１４００の制御構造についてさらに説明する。図１７は、携帯電話１４００のＣＰＵ２１０が実行する着信時の動画表示処理の手順を表わすフローチャートである。なお、前述の第１の実施の形態における処理と同一の処理には同一のステップ番号を付し、それらについての説明は繰り返さない。
【０１５７】
ステップＳ１７１０にて、ＣＰＵ２１０の筐体接続部１４１０は、携帯電話１４００の開閉状態を検出する。
【０１５８】
ステップＳ１７２０にて、ＣＰＵ２１０のデータ読出部１２６は、開閉状態に応じた動画データをデータ記憶部１６０から読み出す。
【０１５９】
ステップＳ１７３０にて、ＣＰＵ２１０の動画データ再生部１２８は、出力先切換部１４３０により形成された信号経路に応じて、読み出した動画データをいずれかの表示部に出力する。
【０１６０】
以上のような構造およびフローチャートに基づく、本実施の形態に係る携帯電話１４００の動作について説明する。なお、前述の各実施の形態における動作と同じ動作の説明は、ここでは繰り返さない。
【０１６１】
［動画データの登録動作］
携帯電話１４００が受信したメールの添付ファイルが動画データのファイルであるとき（ステップＳ４０８にてＹＥＳ）、その送信者の情報が電話帳に登録済みである場合には（ステップＳ４１４にてＹＥＳ）、第１の画像表示部のサイズに応じた第１の動画データが生成される（ステップＳ１６１０）。同様にして、第２の動画データが生成される（ステップＳ１６２０）。
【０１６２】
それぞれ生成されたデータは、送信者の情報に関連付けられてデータ記憶部１６０に保存される（ステップＳ１６３０，Ｓ１６４０）。
【０１６３】
［着信時の動画表示動作］
その後、携帯電話１４００がその発信者からの着信を検知すると（ステップＳ５０２）、発信者の情報と動画データとが既に記憶されているため（ステップＳ５０８にてＹＥＳ，ステップＳ５１０にてＹＥＳ）、動画データがデータ記憶部１６０から読み出される（ステップＳ１７２０）。このとき、携帯電話１４００の開閉状態のいずれかに応じて動画データが読み出され、そのいずれかの表示部に応じた表示が行なわれる（ステップＳ１７３０）。
【０１６４】
以上のようにして本実施の形態に係る携帯電話１４００は、動画データの保存時に、複数の画像表示部の表示領域の大きさに応じて各画像表示部に対応する動画データをそれぞれ生成し、送信者の情報に関連付けて記憶する。このようにすると、その後、その送信者から着信があった場合に、携帯電話１４００は、データ記憶部１６０から生成しておいた動画データを読み出し、いずれかの画像表示部に動画像を、送信者の情報とともに、速やかに表示することができる。その結果、携帯電話１４００は、利用者に視認性をもたらし、エンターテイメント性を向上し、さらには、着信を速やかに通知することができる。。
【０１６５】
＜第４の実施の形態  変形例＞
以下、本発明の第４の実施の形態に係る変形例について説明する。本変形例に係る携帯電話１８００は、動画データを出力するときに動画サイズを調整する機能を有する点で、前述の第４の実施の形態に係る携帯電話１４００と異なる。
【０１６６】
図１８を参照して、本実施の形態に係る携帯電話１８００は、動画サイズ調整部１８１０をさらに含む。表示先検出部１４２０から出力される信号は、出力先切換部１４３０に加えて、動画サイズ調整部１８１０に入力される。
【０１６７】
データ読出部１２６から出力される信号は、音声データ再生部１３０に加えて、動画サイズ調整部１８１０に入力される。なお、音声データ再生部１３０に入力される信号は、音声データに対応する信号であるのに対し、動画サイズ調整部１８１０に入力される信号は、動画データに対応する信号である。
【０１６８】
動画サイズ調整部１８１０から出力される信号は、出力先切換部１４３０に入力される。この信号は、所定の調整処理が行なわれた後の動画データに対応する信号である。
【０１６９】
図１９を参照して、本変形例に係る携帯電話１８００の制御構造について説明する。図１９は、携帯電話１８００が実行する着信時の動画表示処理の手順を表わすフローチャートである。なお、なお前述の実施の形態と同一の処理には同一のステップ番号を付し、それらについての説明は、ここでは繰り返さない。
【０１７０】
ステップＳ５１２にて、ＣＰＵ２１０のデータ読出部１２６は、データ記憶部１６０から、発信者に関連付けられたデータを読み出す。このデータのうち、動画データは、動画サイズ調整部１８１０に入力される。
【０１７１】
ステップＳ１９１０にて、ＣＰＵ２１０の動画サイズ調整部１８１０は、いずれかの表示部の大きさに合わせて動画データのサイズを調整する。
【０１７２】
以上のような構造およびフローチャートに基づく、本変形例に係る携帯電話１８００の動作について説明する。
【０１７３】
携帯電話１８００が電話の着信を検知すると、動画データがデータ記憶部１６０から読み出される（ステップＳ５１２）。携帯電話１８００は、読み出した動画データを第１の画像表示部１７２の表示領域あるいは第２の画像表示部１７４の表示領域のいずれかの大きさに合わせて、そのデータ量を調整する。
【０１７４】
以上のようにして、本変形例に係る携帯電話１８００は、動画データの記憶に関し、データ記憶部１６０に記憶されるデータの容量を少なくしつつ、発信者に応じた画像を表示することができる。
【０１７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１７６】
【図１】本発明の第１の実施の形態に係る携帯電話の機能的な構成を表わすブロック図である。
【図２】本発明の第１の実施の形態に係る携帯電話の具体的な構成の一態様を表わすブロック図である。
【図３】本発明の第１の実施の形態に係る携帯電話に記憶されるデータの構造を説明するための図である。
【図４】本発明の第１の実施の形態に係る携帯電話が実行する処理の手順を表わすフローチャート（その１）である。
【図５】本発明の第１の実施の形態に係る携帯電話が実行する処理の手順を表わすフローチャート（その２）である。
【図６】本発明の第２の実施の形態に係る携帯電話の機能的な構成を表わすブロック図である。
【図７】本発明の第２の実施の形態に係る携帯電話に記憶されるデータの構造を説明するための図である。
【図８】本発明の第２の実施の形態に係る携帯電話が実行する処理の手順を表わすフローチャート（その１）である。
【図９】本発明の第２の実施の形態に係る携帯電話が実行する処理の手順を表わすフローチャート（その２）である。
【図１０】本発明の第３の実施の形態に係る携帯電話の機能的な構成を表わすブロック図である。
【図１１】本発明の第３の実施の形態に係る携帯電話が実行する処理の手順を表わすフローチャート（その１）である。
【図１２】本発明の第３の実施の形態の変形例に係る携帯電話の機能的な構成を表わすブロック図である。
【図１３】本発明の第３の実施の形態の変形例に係る携帯電話が実行する処理の手順を表わすフローチャートである。
【図１４】本発明の第４の実施の形態に係る携帯電話の機能的な構成を表わすブロック図である。
【図１５】本発明の第４の実施の形態に係る携帯電話に記憶されるデータの構造を説明するための図である。
【図１６】本発明の第４の実施の形態に係る携帯電話が実行する処理の手順を表わすフローチャート（その１）である。
【図１７】本発明の第４の実施の形態に係る携帯電話が実行する処理の手順を表わすフローチャート（その２）である。
【図１８】本発明の第４の実施の形態の変形例に係る携帯電話の機能的な構成を表わすブロック図である。
【図１９】本発明の第４の実施の形態の変形例に係る携帯電話が実行する処理の手順を表わすフローチャートである。
【符号の説明】
【０１７７】
１００，６００，１０００，１２００，１４００，１８００  携帯電話、１１２  着信検知部、１１４  動画データ検出部、１１６  登録判断部、１１８  動画データ登録部、１２０  発信者情報取得部、１２４  動画データ検索部、１２６  データ読出部、１２８  動画データ再生部、１３０  音声データ再生部、１４０  データ通信部、１５０  入力部、１６０  データ記憶部、１７０  画像表示部、１８０  音声出力部、２１０  ＣＰＵ、２２０  メインモニタ、２３０  サブモニタ、２４０  操作キー、２５０  数字ボタン、２６０  フラッシュメモリ、２７０  メモリカードドライブ、２７２  メモリカード、２８０  バッテリ、２８２  クロック、２８４  通信ＩＦ、２８６  アンテナ、２８８  スピーカ、６１０  音声データ検出部、６２０  音声データ登録部、１０１０  音量調整部、１２１０  音声レベル検出部、１２２０  音声レベル調整部、１４１０  筐体接続部、１４２０  表示先検出部、１４３０  出力先切換部、１４４０  動画データ生成部、１８１０  動画サイズ調整部。
【図１】
2005142631.tif 000003
【図２】
2005142631.tif 000004
【図３】
2005142631.tif 000005
【図４】
2005142631.tif 000006
【図５】
2005142631.tif 000007
【図６】
2005142631.tif 000008
【図７】
2005142631.tif 000009
【図８】
2005142631.tif 000010
【図９】
2005142631.tif 000011
【図１０】
2005142631.tif 000012
【図１１】
2005142631.tif 000013
【図１２】
2005142631.tif 000014
【図１３】
2005142631.tif 000015
【図１４】
2005142631.tif 000016
【図１５】
2005142631.tif 000017
【図１６】
2005142631.tif 000018
【図１７】
2005142631.tif 000019
【図１８】
2005142631.tif 000020
【図１９】
2005142631.tif 000021